(57)【要約】【課題】デジタル放送波の受信状態が変化する状態においても、エラーの無い映像を再生することが可能なデジタル放送受信装置を提供する。【解決手段】デジタル放送波を受信して、前記デジタル放送波をストリームデータへ復調する複数の受信部（２０１〜２０９）と、複数の受信部の各々に対応して、各受信部の出力するストリームデータを表示画像データへデコードする複数のデコード部（２１０〜２１２）と、表示画像データのエラー情報をデコード部の各々に対応させて記録するエラーテーブル（２１３）と、エラー情報は、デコード時に各デコード部によって記録され、各デコード部の出力する表示画像データのうちから、エラー情報に基づいてエラーの無い表示画像データを選択して表示画像を合成する合成部（２１４）と、表示画像を表示する表示部（２１５）とを備える。【選択図】図１
2009290279.tif 000002
【特許請求の範囲】
【請求項１】
デジタル放送波を受信して、前記デジタル放送波をストリームデータへ復調する複数の受信部と、
前記複数の受信部の各々に対応して、前記各受信部の出力する前記ストリームデータを表示画像データへデコードする複数のデコード部と、
前記表示画像データのエラー情報を前記デコード部の各々に対応させて記録するエラーテーブルと、
前記エラー情報は、前記デコード時に前記各デコード部によって記録され、
前記各デコード部の出力する前記表示画像データのうちから、前記エラー情報に基づいて前記エラーの無い前記表示画像データを選択して前記表示画像を合成する合成部と、
前記表示画像を表示する表示部と
を備えるデジタル放送受信装置。
【請求項２】
請求項１に記載のデジタル放送受信装置であって、
前記表示画像は、複数の画素をまとめた複数のブロックへ分割されており、
前記デコード部は、前記複数のブロックの各々を、前記各ブロック毎に前記デコードを行って、前記ブロック毎のブロックエラー情報を前記各デコード部に対応させて前記エラーテーブルへ記録し、
前記合成部は、前記各デコード部の出力する前記表示画像データのうちから、前記ブロックエラー情報に基づいて、エラーの無い前記表示画像データを前記ブロック単位で選択して前記表示画像を合成する
デジタル放送受信装置。
【請求項３】
請求項２に記載のデジタル放送受信装置であって、
前記合成部は、前記各デコード部のうちから１つの選択デコード部を選択し、前記選択デコード部の出力する前記表示画像データにおいて前記ブロック単位で選択ブロックを選択し、前記エラーテーブルから前記選択ブロックに対応する前記ブロックエラー情報を調査し、前記選択ブロックにエラーが存在する時には、他のデコード部の出力する前記表示画像データにおいて前記選択ブロックに対応する他装置選択ブロックの前記ブロックエラー情報を前記エラーテーブルから調査して、前記他装置選択ブロックにエラーが無い場合には、前記選択ブロックの前記表示画像データと、前記他装置選択ブロックの前記表示画像データとを入れ替えて前記表示画像を合成する
デジタル放送受信装置。
【請求項４】
複数の受信部によってデジタル放送波を受信してストリームデータへ復調するステップと、
前記複数の受信部の各々に対応する複数のデコード部によって、前記各受信部の出力する前記ストリームデータを表示画像データへデコードするステップと、
前記デコード時に前記表示画像データのエラー情報を前記デコード部の各々に対応させて記録するステップと、
前記各デコード部の出力する前記表示画像データのうちから、前記エラー情報に基づいて前記エラーの無い前記表示画像データを選択して前記表示画像を合成するステップと、
前記表示画像を表示するステップと
を備えるデジタル放送受信方法。
【請求項５】
請求項４に記載のデジタル放送受信方法であって、
前記表示画像は、複数の画素をまとめた複数のブロックへ分割されており、
前記デコードするステップは、  
前記複数のブロックの各々を、前記各ブロック毎に前記デコードを行うステップと、
前記記録するステップは、
前記ブロック毎のブロックエラー情報を前記各デコード部に対応させて前記エラーテーブルへ記録するステップと、
前記合成するステップは、
前記各デコード部の出力する前記表示画像データのうちから、前記ブロックエラー情報に基づいて、エラーの無い前記表示画像データを前記ブロック単位で選択して前記表示画像を合成するステップと
を含むデジタル放送受信方法。
【請求項６】
請求項５に記載のデジタル放送受信方法であって、前記ブロック単位で選択して前記表示画像を合成するステップは、
前記各デコード部のうちから１つの選択デコード部を選択するステップと、
前記選択デコード部の出力する前記表示画像データにおいて前記ブロック単位で選択ブロックを選択するステップと、
前記エラーテーブルから前記選択ブロックに対応する前記ブロックエラー情報を調査するステップと、
前記選択ブロックにエラーが存在する時には、他のデコード部の出力する前記表示画像データにおいて前記選択ブロックに対応する他装置選択ブロックの前記ブロックエラー情報を前記エラーテーブルから調査するステップと、
前記他装置選択ブロックにエラーが無い場合には、前記選択ブロックの前記表示画像データと、前記他装置選択ブロックの前記表示画像データとを入れ替えて前記表示画像を合成するステップと
を含むデジタル放送受信方法。
【発明の詳細な説明】
【技術分野】
【０００１】
本発明は、デジタル放送受信装置に関する。
【背景技術】
【０００２】
デジタル放送（ＩＳＤＢ−Ｔ）受信装置が普及しており、車載テレビ等に広く導入されている。移動環境にあるデジタル放送受信装置は、フェージング等の影響を受けてデジタル放送波の受信状態が絶えず変化する。そのため、受信状態によっては、表示映像が正常に再生できない場合もある。このような課題を解決する関連技術として、以下のような技術が公開されている。
【０００３】
特許文献１は、デジタル放送を受信するデジタル放送装置において、移動受信時における受信品質の低下の発生を軽減できるようにするデジタル放送受信装置を開示している。特許文献１のデジタル放送受信装置は、複数のアンテナと、アンテナで受信した信号をそれぞれ入力してデジタル放送波を選択する複数のチューナー部と、チューナー部で選択されたそれぞれの放送波を復調する複数の復調部と、受信した受信電波の品質を検出する複数の受信品質検出部と、受信品質検出部の複数の出力からそれぞれの受信品質を判定する判定部と、複数のフロントエンド部の出力信号から信号を選択する選択部と、複数のチューナー部と複数の復調部を制御する制御部とを備え、選択部は、判定部で判定された結果をもとに複数の復調信号のうち一つを選択することを特徴とする。
【０００４】
特許文献１のデジタル放送受信装置は、複数のアンテナで受信されたデジタル放送波の受信品質を受信品質検出部で検出し、複数のアンテナにおける受信品質のうちで最良である検出出力を判定部で判定し、当該アンテナが受信したデジタル放送波を用いて映像の再生を行う。
【０００５】
【特許文献１】特開２００２−２４６９３０号公報
【発明の開示】
【発明が解決しようとする課題】
【０００６】
ここで、特許文献１のデジタル放送受信装置は、デジタル放送波の受信品質を、アンテナ毎の受信電界強度や復調時の誤り率で判定を行っている。そのため、受信電波の受信状態の良いものを判定することは可能である。しかし、ストリームデータのデコード処理においてエラーがあった場合には、エラー補正をすることができない。それは、ストリームデータから正常な映像が再生できるかどうかは、デコード後で無ければ判別できないからである。
【０００７】
そこで、本発明の目的は、デジタル放送波の受信状態が変化する状態においても、エラーの無い映像を再生することが可能なデジタル放送受信装置を提供することである。
【課題を解決するための手段】
【０００８】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００９】
本発明のデジタル放送受信装置は、デジタル放送波を受信して、前記デジタル放送波をストリームデータへ復調する複数の受信部（２０１〜２０９）と、複数の受信部の各々に対応して、各受信部の出力するストリームデータを表示画像データへデコードする複数のデコード部（２１０〜２１２）と、表示画像データのエラー情報をデコード部の各々に対応させて記録するエラーテーブル（２１３）と、エラー情報は、デコード時に各デコード部によって記録され、各デコード部の出力する表示画像データのうちから、エラー情報に基づいてエラーの無い表示画像データを選択して表示画像を合成する合成部（２１４）と、表示画像を表示する表示部（２１５）とを備える。
【００１０】
本発明のデジタル放送受信方法は、複数の受信部によってデジタル放送波を受信してストリームデータへ復調するステップと、複数の受信部の各々に対応する複数のデコード部によって、各受信部の出力するストリームデータを表示画像データへデコードするステップと、デコード時に表示画像データのエラー情報をデコード部の各々に対応させて記録するステップと、各デコード部の出力する表示画像データのうちから、エラー情報に基づいてエラーの無い表示画像データを選択して表示画像を合成するステップと、表示画像を表示するステップとを備える。
【発明の効果】
【００１１】
本発明によれば、デジタル放送波の受信状態が変化する状態においても、エラーの無い映像を再生することが可能なデジタル放送受信装置を提供することができる。
【発明を実施するための最良の形態】
【００１２】
添付図面を参照して、本発明の実施形態によるデジタル放送受信装置を、以下に説明する。
【００１３】
［構成の説明］
はじめに、図１を用いて、本実施形態におけるデジタル放送受信装置の構成の説明を行う。図１は、本実施形態におけるデジタル放送受信装置の構成を示している。本実施形態のデジタル放送受信装置２００は、アンテナ２０１、２０２、２０３と、チューナー部２０４、２０５、２０６と、復調部２０７、２０８、２０９と、デコード部２１０、２１１、２１２と、エラーブロック情報テーブル（以下、エラーテーブル）２１３と、合成部２１４と、表示部２１５を備える。
【００１４】
図１に示すとおり、アンテナ２０１はチューナー部２０４と接続され、チューナー部２０４は復調装置２０７と接続され、復調装置２０７はデコード装置２１０と接続されている。また、同様に、アンテナ２０２と、チューナー部２０５と、復調装置２０８と、デコード装置２１１とが接続されている。さらに、同様に、アンテナ２０３と、チューナー部２０６と、復調装置２０９と、デコード装置２１２とが接続されている。
【００１５】
まず、アンテナ２０１、２０２、２０３の説明を行う。アンテナ２０１、２０２、２０３は、放送局からＯＦＤＭ変調されて送信されたデジタル放送波を受信する。アンテナ２０１、２０２、２０３は、一般にそれぞれ、ある程度の距離を置いて設置される。そのため、デジタル放送波の受信状態は、各アンテナによって異なる。
【００１６】
次に、チューナー部２０４、２０５、２０６の説明を行う。チューナー部２０４、２０５、２０６は、それぞれ接続されたアンテナ２０１、２０２、２０３から、デジタル放送波を入力して、定められた周波数帯域を選択する。チューナー部２０４、２０５、２０６は、選択した周波数帯域の受信信号を、それぞれに接続された復調部２０７、２０８、２０９へ出力する。
【００１７】
次に、復調部２０７、２０８、２０９の説明を行う。復調部２０７、２０８、２０９は、受信信号のＯＦＤＭ復調等を行ってストリームデータを取得する。復調部２０７、２０８、２０９は、ストリームデータをそれぞれに接続されたデコード部２１０、２１１、２１２へ出力する。
【００１８】
次に、デコード部２１０、２１１、２１２の説明を行う。デコード部２１０、２１１、２１２は、ストリームデータのデコードを行う。デジタル放送（ＩＳＤＢ−Ｔ）では、映像データの圧縮にＭＰＥＧ−２やＨ２６４／ＡＶＣ等の技術を用いる。ＭＰＥＧ−２やＨ２６４／ＡＶＣは、連続する表示画像の１画面（１フレーム）内を８×８ピクセル単位（あるいは１６×１６ピクセル）に設けられるブロックへ区分して、ブロック単位にエンコードを行う。ブロック単位にエンコードされた映像データは、ＴＳ（Ｔｒａｎｓｐｏｒｔ  Ｓｔｒｅａｍ）パケットに格納され、当該ブロックを含む表示画像の表示タイミングを示すタイミングデータを付加されて、ストリームデータとして送信される。デコード部２１０、２１１、２１２は、それぞれ対応する復調部２０７、２０８、２０９からストリームデータを入力すると、ブロック単位にエンコードを行う。デコード部２１０、２１１、２１２は、内部のストリームプロセッサにおいてデコードしたブロックにエラーが有る場合、当該ブロックのエラー情報を生成する。デコード部２１０、２１１、２１２は、表示タイミング毎の表示画像における各ブロックに対応して生成したエラー情報を、それぞれエラーテーブル２１３へ記録する。デコード部２１０、２１１、２１２は、デコード後の表示画像の画像データ（以下、表示画像データ）を合成部２１４へ出力する。
【００１９】
次に、エラーテーブル２１３の説明を行う。エラーテーブル２１３は、表示タイミング毎の表示画像におけるエラーの有るブロック（以下、エラーブロック）のエラー情報を、デコード部２１０、２１１、２１２のそれぞれに対応させて記録している。エラーテーブル２１３は、デコード部２１０、２１１、２１２のそれぞれからエラー情報を記録される。図２Ａおよび図２Ｂは、エラーテーブル２１３の例を示している。図２Ａを参照すると、「表示タイミング」欄は、当該ブロックの表示を行うタイミングを示している。本実施形態では、説明の簡易のため連番を記入している。そのため、「表示タイミング」欄の記録形式はこれに限定しない。「デコード部番号」欄は、当該ブロックをデコードしたデコード部の識別番号である。本実施形態では簡易のため、各デコード部の符号を記入している。そのため、「デコード部番号」欄の記録形式はこれに限定しない。「ブロック番号」欄は、当該表示タイミングに含まれるブロックの走査順を示している。本実施形態では簡易のため、ブロック数が縦４×横４の１６ブロックであるとして記入している。そのため、「ブロック番号」欄の記録形式はこれに限定しない。「エラー」欄は、エラーがあったことを「１」または「０」で示している。エラー欄は、エラーがある場合には「１」、エラーが無い場合には「０」と記録している。図２Ａでは、エラーのあったブロックのみを記録しているため、「エラー」欄は、全て「１」となっている。なお、「エラー」欄の記録形式はこれに限定しない。図２Ａの最上位レコードを参照すると、表示タイミングが「３４５」において、デコード部２１０は、ブロック番号「５」においてデコード後の表示画像にエラーがあったことを示している。エラーテーブル２１３は、このように各デコード部対応して表示タイミング毎の表示画像の各ブロックに対応したエラー情報を記録している。
【００２０】
なお、エラーテーブル２１３の記録形式は、この形式に限定しない。図２Ｂは、エラーテーブル２１３の他の形式を示している。図２Ｂを参照すると、（ａ）はデコード部２１０の、表示タイミング「３４５」の表示画像における全てのブロックのデコード状態を記録している。（ａ）の最上位レコードを参照すると、デコード部２１０は、表示タイミング「３４５」の表示画像においてブロック番号「１」にはエラーが無かったことを示している。同様に（ｂ）は、デコード部２１１の、表示タイミング「３４５」の表示画像における全てのブロックのデコード状態を記録している。さらに、（ｃ）は、デコード部２１２の、表示タイミング「３４５」の表示画像における全てのブロックのデコード状態を記録している。このように、各デコード部毎にデータを記録してもよい。また、この他の記録形式による場合もある。
【００２１】
次に合成部２１４の説明を行う。合成部２１４は、デコード部２１０、２１１、２１２から、表示画像データを入力して、表示タイミング毎の表示画像を合成する。ここで、表示画像は、表示タイミング毎に表示部２１５が表示を行う、１画面（１フレーム）である。本実施形態において、合成部２１４は、デコード部２１０から入力したデコード後の表示画像データを基準として表示画像を生成する。合成部２１４は、デコード部２１０から入力する表示タイミング毎の表示画像において、エラーブロックが存在する場合には、デコード部２１１あるいはデコード部２１２から入力する同じ表示タイミングの表示画像における当該特定ブロックにエラーが有るかを調査する。合成部２１４は、デコード部２１１あるいはデコード部２１２から入力する同じ表示タイミングの表示画像における当該特定ブロックにエラーが無い場合には、デコード部２１０のエラーブロックと、デコード部２１１あるいはデコード部２１２のエラーの無いブロック（以下、正常ブロック）との画像データをブロック単位で入れ替えを行う。なお、以下、ブロック単位の表示画像データをブロック表示画像データと呼ぶ。合成部２１４は、このようにして、エラーの無い表示画像を合成する。合成部２１４は、合成した表示画像を表示部２１５へ出力する。
【００２２】
図３は、合成部２１４が行う表示画像のブロック入れ替え処理を示している。図３及び図２Ｂを用いて、合成部２１４の行う、ある表示タイミングにおける表示画像のデータ入れ替え処理を説明する。説明の簡易のために表示画像は、１画像（１フレーム）に１６ブロックを有しているとして説明を行う。なお、表示画像のブロック分割数は、これに限定しない。また、説明に用いる表示画像は、表示タイミングが「３４５」に再生されるべき画像であるとする。なお、表示タイミングの指定方法は、これに限定しない。
【００２３】
合成部２１４は、デコード部２１０、２１１、２１２からデコード後の表示画像データを入力する。デコード後画像３００、３０１、３０２は、それぞれデコード部２１０、２１１、２１２から入力した表示画像データによる表示画像である。また、図２Ｂの（ａ）、（ｂ）、（ｃ）は、前述のとおり、それぞれデコード部２１０、２１１、２１２のエラーテーブル２１３を示している。図２Ｂの（ａ）、（ｂ）、（ｃ）は、それぞれ、表示タイミング「３４５」の表示画像の各ブロックに対応するエラー情報を記録している。
前述のとおり、合成部２１４は、デコード部２１０の表示画像データを基準にブロック表示画像データの入れ替えを行う。合成部２１４は、エラーテーブル２１３（図２Ｂ（ａ））を検索して、デコード部２１０からの表示タイミング「３４５」における表示画像データの各ブロックにエラーが存在するかを調査する。合成部２１４は、デコード部２１０のエラーテーブル２１３からブロック番号「５」にエラーが存在することを検知する。デコード後画像３００のエラーブロック４００は、デコード後画像３００において、ブロック番号「５」のエラーを示している。
合成部２１４は、デコード部２１０の表示画像に含まれるブロック番号「５」を、他のデコード部のブロック表示画像データと置き換えを行うため、エラーテーブル２１３（図２Ｂ（ｂ））を検索して、デコード部２１１からの表示タイミング「３４５」の表示画像において、ブロック番号「５」にエラーがあるか否かを調査する。図２Ｂ（ｂ）を参照すると、表示タイミング３４５における、デコード部２１１のデコード後画像のブロック番号「５」には、エラーが存在しない。正常ブロック４２０は、デコード後画像３０１において、ブロック番号「５」にエラーが無いことを示している。合成部２１４は、エラーテーブル２１３を検索した結果、デコード部２１１からの表示タイミング「３４５」の表示画像において、ブロック番号「５」にエラーが存在しないことを検知する。合成部２１４は、デコード部２１０からの表示タイミング「３４５」の表示画像におけるブロック番号「５」のブロック表示画像データと、デコード部２１１からの表示タイミング「３４５」の表示画像におけるブロック番号「５」のブロック表示画像データの入れ替えを行う。これは、デコード後画像３００のエラーブロック４００を、デコード後画像３０１の正常ブロック４２０へ入れ替えを行うことを意味する。
【００２４】
さらに、合成部２１４は、エラーテーブル２１３（図２Ｂ（ａ））を検索して、デコード部２１０からの表示タイミング「３４５」の表示画像において、他のブロックにエラーが存在するかを調査する。合成部２１４は、デコード部２１０からの表示タイミング「３４５」の表示画像のブロック番号「１２」にエラーが存在することを検知する。デコード後画像３００のエラーブロック４１０は、デコード後画像３００において、ブロック番号「１２」にエラーがあることを示している。
合成部２１４は、デコード部２１０の表示画像におけるブロック番号「１２」のブロック表示画像データを、他のデコード部の表示画像におけるブロック表示画像データと置き換えを行うため、エラーテーブル２１３（図２Ｂ（ｂ））を検索する。合成部２１４は、エラーテーブル２１３（図２Ｂ（ｂ））を検索して、デコード部２１１の表示タイミング「３４５」の表示画像における、ブロック番号「１２」にエラーがあるか否かを調査する。しかし、図２Ｂ（ｂ）を参照すると、デコード部２１１からの表示タイミング「３４５」の表示画像における、ブロック番号「１２」にもエラーが存在する。エラーブロック４３０は、デコード後画像３０１において、ブロック番号「１２」にエラーがあることを示している。合成部２１４は、エラーテーブル２１３を検索した結果、デコード部２１１からの表示タイミング「３４５」の表示画像におけるブロック番号「１２」にエラーが存在することを検知する。
この場合、さらに、合成部２１４は、エラーテーブル２１３を検索して、他のデコード部のエラー情報を調査する。合成部２１４は、エラーテーブル２１３（図２Ｂ（ｃ））を検索して、デコード部２１２からの表示タイミング「３４５」の表示画像におけるブロック番号「１２」にエラーがあるか否かを検索する。図２Ｂ（ｃ）を参照すると、デコード部２１２の表示タイミング「３４５」の表示画像におけるブロック番号「１２」には、エラーが存在しない。正常ブロック４４０は、デコード後画像３０２において、ブロック番号「１２」にエラーが無いことを示している。合成部２１４は、エラーテーブル２１３を検索した結果、デコード部２１２の表示タイミング「３４５」の表示画像におけるブロック番号「１２」にエラーが存在しないことを検知する。合成部２１４は、デコード部２１０からの表示タイミング「３４５」の表示画像におけるブロック番号「１２」のブロック表示画像データと、デコード部２１２からの表示タイミング「３４５」の表示画像におけるブロック番号「１２」のブロック表示画像データの入れ替えを行う。これは、デコード後画像３００のエラーブロック４１０を、デコード後画像３０１の正常ブロック４４０へ入れ替えを行うことを意味する。
【００２５】
なお、さらに、デコード部２１２からの表示タイミング「３４５」の表示画像におけるブロック番号「１２」にも、エラーが存在する場合も存在する。この場合、合成部２１４は、全てのデコード部からの表示画像におけるブロック番号「１２」にエラーが存在するため、ブロックの入れ替えを行えないと判定する。合成部２１４は、エラーの存在するデコード部２１０からのタイミング「３４５」の表示画像におけるブロック番号「１２」のブロック表示画像データまま、表示画像の合成を行う。
また、合成部２１４は、デジタル放送受信端末装置に、さらに別のデコード部が備えられるような構成の場合には、それら全てのデコード部のエラー情報をエラーテーブル２１３において検索しても良い。
【００２６】
このようにして、合成部２１４は、基準となるデコード後画像３００の特定のブロックにエラーが存在する場合、当該エラーブロックのブロック表示画像データと、当該エラーブロックと同位置のブロックにエラーの存在しない他のデコード部のデコード後画像におけるブロック表示画像データとを、ブロック単位で入れ替えを行う。そのため、合成部２１４は、エラーの無い表示画像を生成することが可能となる。上述の例では、デコード後画像３００のエラーブロック４００とデコード後画像３０１の正常ブロック４２０とのブロック入れ替えを行い、デコード後画像３００のエラーブロック４１０とデコード画像の正常ブロック４４０との入れ替えを行った。デコード後画像３０４では、全てのブロックが正常ブロックとなっていることが確認できる。
なお、合成部２１４は、デコード部２１０からの表示画像を基準としてブロック表示画像データの入れ替え処理を行っているが、これを、特定のデコード部を基準として行うのではなく、エラーの無いブロックを選択することによって、表示画像の合成を行っても良い。
【００２７】
次に、表示部２１５の説明を行う。表示部２１５は、合成部２１４から入力する表示画像を表示する。
【００２８】
以上が、本実施形態の構成の説明である。
【００２９】
［動作方法の説明］
次に、図４及び図５を用いて、本実施形態におけるデジタル放送受信装置の動作方法の説明を行う。まず、図４は、本実施形態におけるデジタル放送受信装置のデコード部２１０、２１１、２１２の動作方法を説明する。図４は、本実施形態におけるデジタル放送受信装置のデコード部２１０、２１１、２１２の動作フローを示している。デコード部２１０、２１１、２１２は、それぞれ同じ動作方法となるので、以下の説明では、デコード部２１０を例として説明を行う。
【００３０】
（ステップＳ１０）
デコード部２１０は、アンテナ２０１が受信して、チューナー部２０４が周波数選択を行い復調部２０７が復調処理を行ったストリームデータを入力する。デコード部２１０は、エラーテーブル２１３の初期化を行う。デコード部２１０は、表示画像１画面（フレーム）毎のデコード処理が完了する度にエラーテーブル２１３の初期化を行っても良い。
【００３１】
（ステップＳ２０）
デコード部２１０は、表示画像に含まれる各ブロックのうちから１ブロック毎に、ストリームデータからデコードを行う。
【００３２】
（ステップＳ３０）
デコード部２１０は、１ブロック分のデコードが完了すると、当該ブロック表示画像データにエラーが存在するかを判定する。エラーが存在する場合には、エラー情報を記録するために、ステップＳ４０へ進む。一方、エラーが無い場合には、次の処理へ進むために、ステップＳ５０へ進む。
【００３３】
（ステップＳ４０）
デコード部２１０は、デコード後のブロック表示画像データにエラーが存在する場合、当該ブロックのエラー情報をエラーテーブル２１３に記録する。デコード部２１０は、図２Ａあるいは図２Ｂに示すように、エラーテーブル２１３に、表示タイミング、デコード部の識別番号、ブロック番号、エラーフラグを記録する。なお、エラーテーブル２１３への記録形式および記録項目は、これらに限定しない。
【００３４】
（ステップＳ５０）
デコード部２１０は、１ブロックのデコード処理が完了すると、表示画像１画面（フレーム）の全てのブロックに対して処理が完了したかを判定する。１画面内にまだ処理の完了していないブロックが存在する場合には、ステップＳ２０へ戻る。１画面の全てのブロックについてデコード処理が完了した場合には、合成部２１４へデコード後の表示画像データを出力して、本動作方法は終了となる。
【００３５】
以上が、本実施形態におけるデジタル放送受信装置のデコード部２１０のデコード処理の動作方法の説明である。この動作方法によって、ある表示タイミングの表示画像１画面分のデコード処理が完了する。また、この動作方法によって、当該表示画像１画面に含まれるブロックのエラー情報が、エラーテーブル２１３へ記録される。説明を省略したが、同様にデコード部２１１及びデコード部２１２においても、同様の動作方法となる。
【００３６】
次に、図５を用いて、本実施形態におけるデジタル放送受信装置の合成部２１４の動作方法を説明する。図５は、本実施形態におけるデジタル放送受信装置の合成部２１４の動作フローを示している。なお、以下の、動作方法の説明は、連続する表示画像のうちから、ある表示タイミングの表示画像に対する動作方法を例として説明を行う。
【００３７】
（ステップＳ１００）
合成部２１４は、デコード部２１０、２１１、２１２からそれぞれデコード後の表示画像１画面分の表示画像データを入力する。合成部２１４は、表示画像を合成する基準となるデコード部２１０から入力した表示画像１画面分の画像データのうちから１ブロックを選択する。合成部２１４は、エラーテーブル２１３を検索して、デコード部２１０に対応するエラー情報から、選択した１ブロック（以下、選択ブロック）に対応するエラー情報を抽出する。なお、本実施形態では、デコード部２１０のデコード画像を基準として表示画像の生成を行うが、基準となるデコード画像は、デコード部２１１の画像でも、デコード部２１２の画像でも構わない。
【００３８】
（ステップＳ１１０）
合成部２１４は、エラーテーブル２１３から抽出した選択ブロックのエラー情報の「エラー」にエラー有りと記録されているかを判定する。選択ブロックに対応するエラー情報のエラー欄に「１」が記録されており、選択ブロックの画像データにエラーが有る場合は、ステップＳ１３０へ進む。一方、選択ブロックに対応するエラー情報のエラー欄に「０」が記録されており、選択ブロックの画像データにエラーが無い場合は、ステップＳ１２０へ進む。
【００３９】
（ステップＳ１２０）
合成部２１４は、選択ブロックにエラーが無い場合には、選択ブロックの画像を、表示画像における当該ブロックの表示画像に決定する。
【００４０】
（ステップＳ１３０）
合成部２１４は、選択ブロックにエラーがある場合には、ブロック表示画像データを入れ替えるために、選択ブロックのエラー情報を調査することが可能な他のデコード部が存在するかを判定する。他に調査を行うことができる他のデコード部が存在するときは、当該他のデコード部のエラー情報を調査するために、ステップＳ１４０へ進む。一方、全てのデコード装置に対して、選択ブロックのエラー情報調査が完了しており、他に調査を行うことができるデコード部が存在しない場合、合成部２１４は、デコード部２１０の選択ブロックを、表示画像における当該ブロックの表示画像に決定する。この場合、ステップＳ１７０へ進む。
【００４１】
（ステップＳ１４０）
合成部２１４は、まだ、エラー情報の調査を行っていない、他のデコード部のエラー情報を調査する。合成部２１４は、エラーテーブル２１３に記録されている他のデコード部に対応するエラー情報から、選択ブロックのエラー情報を抽出する。
【００４２】
（ステップＳ１５０）
合成部２１４は、エラーテーブル２１３から抽出した、他のデコード部における選択ブロックのエラー情報の「エラー」にエラー有りと記録されているかを判定する。他のデコード部における選択ブロックのエラー情報において、エラー欄に「１」が記録されており、他のデコード部における選択ブロックの画像データにエラーが有る場合は、さらに他のデコード部のエラー情報を調査するために、ステップＳ１３０へ戻る。一方、他のデコード部における選択ブロックのエラー情報において、エラー欄に「０」が記録されており、他のデコード部における選択ブロックの画像データにエラーが無い場合は、ステップＳ１６０へ進む。
【００４３】
（ステップＳ１６０）
合成部２１４は、他のデコード部の選択ブロックにエラーが無い場合には、デコード部２１０の選択ブロックのブロック表示画像データと、他のデコード部の選択ブロックのブロック表示画像データとの入れ替えを行う。合成部２１４は、入れ替え後の他のデコード部の選択ブロックの表示画像を、表示画像における当該ブロックの表示画像に決定する。これによって、表示画像の当該選択ブロックはエラーの無い状態となる。
【００４４】
（ステップＳ１７０）
合成部２１４は、当該表示画像１画面に含まれる全てのブロックに対して、調査が完了したかを判定する。全てのブロックに対して調査が完了していない場合には、引き続き他のブロックを調査するために、ステップＳ１００へ戻る。一方、全てのブロックに対する調査が完了すると、１画面分の表示画像を表示部２１５へ出力して、本動作は終了となる。
【００４５】
以上が、本実施形態のデジタル放送受信装置における合成部２１４の動作方法の説明である。デジタル放送受信装置は、この動作方法を表示画像１画面毎に繰り返して、デコード後表示画像に存在するエラーブロックをエラーの無い正常ブロックへ入れ替える。そのため、デコード後にエラーブロックの存在する表示画像を、エラーブロックの無い表示画像へ修正することができる。
なお、合成部２１４は、ステップＳ１００において、表示画面１画面に存在するブロックの中から選択ブロックを選択する。この選択方法は、表示画面に対して、表示部２１５が走査を行う順にブロックの選択を行っても良い。ブロックの選択順番は、特に限定しない。また、合成部２１４は、エラーブロックを入れ替えるために、エラーテーブル２１３において他のデコード部のエラー情報を検索するが、この場合に他のデコード部の選択順番は特に限定しない。例えば、各デコード装置のエラー情報の統計を取って、エラー率の低い順に選択して調査する動作方法としてもよい。
【００４６】
以上が、本実施形態の説明である。ここまで説明を行ってきたとおり、デコード部２１０、２１１、２１２は、ブロック毎のデコード処理において、デコード後にデータエラーがある場合は、エラーテーブル２１３へ、ブロック単位でエラー情報を記録する。合成部２１４は、基準となるデコード後画像３００の選択ブロックにエラーが存在する場合、他のデコード部の選択ブロックを検索して、エラーの存在しない他のデコード部の選択ブロックと画像データをブロック単位で入れ替えを行う。そのため、合成部２１４は、エラーの無い表示画像を生成することが可能となる。これらの処理は、表示画像のデコードの後に行われるため、実際に表示を行う画像データにおけるエラーを修正することが可能となる。
なお、上記実施形態では、ブロック単位で表示画像のブロック表示画像データを入れ替えているが、表示画像１画面単位で入れ替えを行っても良い。この場合は、各デコード部は、表示画像１画面単位でエラー情報をエラーテーブル２１３へ記録し、合成部２１４は、表示画像１画面単位でエラーの有無によって、表示画面を選択して表示部２１５へ表示してもよい。あるいは、合成部２１４は、表示画面１画面において、エラーブロックの数量が少ない表示画面を選択して表示部２１５へ表示してもよい。
【００４７】
以上、実施形態を参照して本発明を説明してきたが、本発明は、上記の実施形態に限定されるものではない。本発明の構成や詳細には、本発明の範囲内で当業者が理解し得る様々な変更を行うことができる。
【図面の簡単な説明】
【００４８】
【図１】本実施形態におけるデジタル放送受信装置の構成を示す図である。
【図２Ａ】エラーテーブル２１３の例を示す図である。
【図２Ｂ】エラーテーブル２１３の例を示す図である。
【図３】合成部２１４が行う表示画像のブロック入れ替え処理を示す図である。
【図４】本実施形態におけるデジタル放送受信装置のデコード部２１０、２１１、２１２の動作フローである。
【図５】本実施形態におけるデジタル放送受信装置の合成部２１４の動作フローである。
【符号の説明】
【００４９】
２００  デジタル放送受信装置
２０１  アンテナ
２０２  アンテナ
２０３  アンテナ
２０４  チューナー部
２０５  チューナー部
２０６  チューナー部
２０７  復調部
２０８  復調部
２０９  復調部
２１０  デコード部
２１１  デコード部
２１２  デコード部
２１３  エラーブロック情報テーブル
２１４  合成部
２１５  表示部
３００  デコード後画像
３０１  デコード後画像
３０２  デコード後画像
３０４  デコード後画像
４００  エラーブロック
４１０  エラーブロック
４２０  正常ブロック
４３０  エラーブロック
４４０  正常ブロック
【図１】
2009290279.tif 000003
【図２Ａ】
2009290279.tif 000004
【図２Ｂ】
2009290279.tif 000005
【図３】
2009290279.tif 000006
【図４】
2009290279.tif 000007
【図５】
2009290279.tif 000008